(57)【要約】【課題】  携帯可能で安全且つ衛生的に使用でき、比較的圧縮率の低い圧縮気体を使用する場合にも唾液等を十分に吸引できる歯科用携帯唾液等吸引具を提供する。【解決手段】  略Ｔ字形の形状をなす吸引力発生体２の対向する端部の一方に唾液等を吸引する吸引路2aの吸引口2aaを、他方の端部又はその近傍に圧縮気体供給源１から圧縮気体が供給される圧縮気体供給路2dの入口部2daを、吸引力発生体２の下方側に位置する端部に吸引された唾液等を排出するための排出路2bの排出口2baを設け、圧縮気体供給路2dから導かれた圧縮気体を排出路2bの排出口2baに向けて噴射する圧縮気体噴射部2cを介して吸引路2aと排出路2bとを連結させてエゼクタ機構とし、吸引口2aaに吸引用延長具３を着脱自在に装着させ、排出口2baより上方側の吸引力発生体２の外面に気体排出口4b付収納体４を保持させる構成とする。【選択図】        図１
2005334025.tif 000002
【特許請求の範囲】
【請求項１】
略Ｔ字形の形状をなす吸引力発生体(２)の対向する端部の一方に唾液等を吸引する吸引路(2a)の吸引口(2aa)が、他方の端部又は他方の端部近傍の側部に圧縮気体供給源(１)から圧縮気体が供給される圧縮気体供給路(2d)の入口部(2da)が、該吸引力発生体(２)の下方側に位置する端部に吸引された唾液等を排出するための排出路(2b)の排出口(2ba)がそれぞれ設けられていて、該吸引力発生体(２)内に該圧縮気体供給路(2d)から導かれた圧縮気体を該排出路(2b)の排出口(2ba)に向けて噴射する圧縮気体噴射部(2c)を介して該吸引路(2a)と該排出路(2b)とが連結されてエゼクタ機構をなしており、該吸引力発生体(２)の吸引口(2aa)に口腔内に挿入される吸引用延長具(３)が着脱自在に装着されており、該排出口(2ba)より上方側の該吸引力発生体(２)の外面にその開口部(4a)を保持されている唾液等を溜めるための収納体(４)の該開口部(4a)の近傍に該収納体(４)内に流入してきた圧縮空気を外部に排出する気体排出口(4b)が設けられていることを特徴とする歯科用携帯唾液等吸引具。
【請求項２】
吸引用延長具(３)の先端部が斜めに切り取られた形状をなしている請求項１に記載の歯科用携帯唾液等吸引具。
【請求項３】
吸引力発生体(２)が、吸引路(2a)の吸引口(2aa)近傍に圧縮気体を噴出させるための噴出口(2ea)が該吸引口(2aa)と同方向に向けて設けられている噴出路(2e)と、圧縮気体供給源(１)から供給される圧縮気体を圧縮気体供給路(2d)の途中から該噴出路(2e)へと導くための流路切換手段(2f)とを更に備えている請求項１又は２に記載の歯科用携帯唾液等吸引具。
【請求項４】
吸引力発生体(２)の噴出路(2e)の噴出口(2ea)に着脱自在に装着され口腔内に挿入される噴出用延長具(５)が更に設けられている請求項３に記載の歯科用携帯唾液等吸引具。
【請求項５】
圧縮気体供給源(１)がスプレー缶(1a)である請求項１から４までのいずれか１項に記載の歯科用携帯唾液等該吸引具。
【請求項６】
圧縮気体供給源(１)がゴム球(1b)である請求項１から４までのいずれか１項に記載の歯科用携帯唾液等吸引具。
【請求項７】
圧縮気体供給源(１)が足踏み式ポンプである１から４までのいずれか１項に記載の歯科用携帯唾液等吸引具。
【請求項８】
収納体(４)がプラスチック製軟質袋である１から７までのいずれか１項に記載の歯科用携帯唾液等吸引具。
【請求項９】
収納体(４)が硬質容器である１から７までのいずれか１項に記載の歯科用携帯唾液等吸引具。
【発明の詳細な説明】
【技術分野】
【０００１】
本発明は、携帯することによりどこにでも持ち運ぶことができ、安全且つ衛生的に使用でき、比較的圧縮率の低い圧縮気体を使用した場合にも唾液等を十分に吸引することができる歯科用携帯唾液等吸引具に関するものである。
【背景技術】
【０００２】
近年の高年齢化に伴い、歯科分野においても訪問診療が求められるようになってきている。歯科治療では歯の削りカス等を含んだ唾液等を吸引する必要があるが、エアーコンプレッサー等の大型の特殊装置が必要なため、訪問診療では治療内容が限定され、実際には通院しないと殆ど治療が行えなかった。
【０００３】
これに対して、エアーコンプレッサー等も小型軽量化されたものが開発されているが、携帯して持ち運ぶことは難しく、訪問診療の際に実際に利用されることは殆どないのが現状である。
【０００４】
またエアーコンプレッサー等から得られる圧縮気体を利用して吸引力を発生させるには、エゼクタ機構を有する吸引力発生体が必要となり、この吸引力発生体には圧縮気体が供給される圧縮気体供給路と、吸引を行う吸引路と、吸引したものを排出する排出路とが必要となるからＴ字形のものが適しており、このような形状の吸引力発生体は広く利用されているが、衛生面に配慮されていて口腔内に挿入して使用するのに適した構造や工夫がなされた歯科用の吸引力発生体は皆無であった。
【０００５】
このような問題に対して、携帯可能で衛生的に使用できる吸引補助器具としては、一端に注射針が取付けられており、他端が開口されており、該開口周縁にフランジ部が設けられている筒状体と、前記筒状体内に挿入される棒状部材、該棒状部材の先端に固定されており筒状部材の内周面に接触されて移動されるヘッド及び前記棒状部材の外側端に連結されており、棒状部材よりも側方に延びている部分を有する持手を有するプランジャーとを備えるシリンジに組合わされて用いられる体液吸引補助器具であって、前記筒状部材のフランジ部と、前記プランジャーの持手との間に配置され、空気流入口を有し、該空気流入口から空気が流入されると、フランジ部に対してプランジャーの持手を遠ざけるようにプランジャーを棒状部材の軸方向に移動させるプランジャー駆動部材と、前記プランジャー駆動部材の空気流入口に連結されており、手動または足により操作されることによりプランジャー駆動部材に圧縮空気を供給する圧縮空気供給部材とを備えている体液吸引補助器具がある（例えば、特許文献１参照。）。しかしこの体液吸引補助器具は、注射針から吸引しなければならないため口腔内で使用するには大変危険であり、また唾液に歯の削りカスが混ざっている場合には吸引することが困難であり、またこの体液吸引補助器具では注射器のプランジャーを手で引っ張る代わりに圧縮空気によって引っ張るだけであるから、単なる注射器による吸引と変わらないのである。
【０００６】
また、Ｔ字形の吸引力発生体を備えた吸引自動処理機としては、Ｔ型エアーガンに逆Ｌ型噴射ノズルを配置して、エアーコンプレッサーの圧縮空気を逆噴し筒内風洞を吸引力に変換して、廃棄物を吸引及び排出の同時作用により処理槽へ収容する吸引自動処理機がある（例えば、特許文献２参照。）。しかしながらこの吸引自動処理機はエアーコンプレッサーを使用しているため歯科の訪問診療には適していない上に、Ｔ型エアーガンの構造が吸引したものを下方に向けて排出するような構造となっていないので、エアーコンプレッサー以外の比較的圧縮率の低い圧縮気体を発生させる圧縮気体発生源を使用した場合には、吸引したものを十分に排出させることができないのである。
【０００７】
【特許文献１】特開２００２−１７７３７９号公報
【特許文献２】特開２００２−１９３４４２号公報
【発明の開示】
【発明が解決しようとする課題】
【０００８】
本発明は前記の問題に鑑み、携帯することによりどこにでも持ち運ぶことができ、安全且つ衛生的に使用でき、エアーコンプレッサー以外の比較的圧縮率の低い圧縮気体を使用する場合にも唾液等を十分に吸引することができる歯科用携帯唾液等吸引具を提供することを課題とする。
【課題を解決するための手段】
【０００９】
本発明者らは前記課題を解決すべく鋭意研究の結果、略Ｔ字形の形状をなす吸引力発生体の対向する端部の一方に唾液等を吸引する吸引路の吸引口を、他方の端部又は他方の端部近傍の側部に圧縮気体供給源から圧縮気体が供給される圧縮気体供給路の入口部を、該吸引力発生体の下方側に位置する端部に吸引された唾液等を排出するための排出路の排出口をそれぞれ設け、吸引力発生体内に圧縮気体供給路から導かれた圧縮気体を排出路の排出口に向けて噴射する圧縮気体噴射部を介して吸引路と排出路とを連結させてエゼクタ機構をなすようにすれば、訪問診療等においてエアーコンプレッサー等の大型の特殊装置が使用できず比較的圧縮率の低い圧縮気体を使用する場合であってもエゼクタ機構を備えていると共に下方側に向けて唾液等を排出させる構造となっているから十分な吸引を行わすことができ、また吸引力発生体の吸引口に口腔内に挿入される吸引用延長具を着脱自在に装着すれば、口腔内に挿入される吸引用延長具を取り替えるだけで本発明に係る歯科用携帯唾液等吸引具は衛生的に何度でも使用することができ、更に排出口より上方側の吸引力発生体の外面にその開口部を保持されている唾液等を溜めるための収納体の開口部の近傍に収納体内に流入してきた圧縮気体を外部に排出する気体排出口を設ければ、吸引された唾液等を外部に飛散させることなく衛生的に収納できることを究明して本発明に係る歯科用携帯唾液等吸引具を完成したのである。
【００１０】
即ち本発明は、略Ｔ字形の形状をなす吸引力発生体の対向する端部の一方に唾液等を吸引する吸引路の吸引口が、他方の端部又は他方の端部近傍の側部に圧縮気体供給源から圧縮気体が供給される圧縮気体供給路の入口部が、吸引力発生体の下方側に位置する端部に吸引された唾液等を排出するための排出路の排出口がそれぞれ設けられていて、吸引力発生体内に圧縮気体供給路から導かれた圧縮気体を排出路の排出口に向けて噴射する圧縮気体噴射部を介して吸引路と排出路とが連結されてエゼクタ機構をなしており、吸引力発生体の吸引口に口腔内に挿入される吸引用延長具が着脱自在に装着されており、排出口より上方側の吸引力発生体の外面にその開口部を保持されている唾液等を溜めるための収納体の開口部の近傍に収納体内に流入してきた圧縮気体を外部に排出する気体排出口が設けられていることを特徴とする歯科用携帯唾液等吸引具に関するものである。
【００１１】
そしてこの歯科用携帯唾液等吸引具において、吸引用延長具の先端部が斜めに切り取られた形状をなしていると、吸引用延長具の先端部を口腔内粘膜に密着させることなく唾液等を確実に吸引することができて好ましく、吸引力発生体が吸引路の吸引口近傍に圧縮気体を噴出させるための噴出口が吸引口と同方向に向けて設けられている噴出路と圧縮気体供給源から供給される圧縮気体を圧縮気体供給路の途中から噴出路へと導くための流路切換手段とを更に備えていると、唾液等の吸引ができるばかりか歯に付着した歯の削りカス等を圧縮気体によってに吹き飛ばすことができまた唾液等を吸引する吸引路及び吸引口を利用することなく圧縮気体を圧縮気体供給路の途中から噴出路へと導くことができるため吸引した唾液等を逆流させることがなく衛生的に圧縮気体を噴出させることができて好ましく、このように吸引力発生体に噴出路と噴出口と流路切換手段とが設けられている場合において吸引力発生体の噴出路の噴出口に着脱自在に装着され口腔内に挿入される噴出用延長具が更に設けられていると、口腔内に挿入される噴出用延長具を取り替えるだけで本発明に係る歯科用携帯唾液等吸引具は衛生的に何度でも使用することができて好ましく、圧縮気体供給源がスプレー缶であると、比較的圧縮率の高い圧縮気体を容易に得ることができて好ましく、圧縮気体供給源がゴム球であると、供給する圧縮気体の量を容易に調整することができて好ましく、圧縮気体供給源が足踏み式ポンプであると、比較的圧縮率の高い圧縮気体を容易に発生させることができると共に供給する圧縮気体の量を容易に調整することができて好ましく、収納体がプラスチック製軟質袋であると、吸引した唾液等をその収納体ごと捨てることによって使用後の後始末が容易にできて好ましく、収納体が硬質容器であると、破損等により唾液等が漏れ出すことがなくまた洗浄することで再利用することができて好ましいことも究明したのである。
【発明の効果】
【００１２】
本発明に係る歯科用携帯唾液等吸引具は、略Ｔ字形の形状をなす吸引力発生体の対向する端部の一方に唾液等を吸引する吸引路の吸引口が、他方の端部又は他方の端部近傍の側部に圧縮気体供給源から圧縮気体が供給される圧縮気体供給路の入口部が、吸引力発生体の下方側に位置する端部に吸引された唾液等を排出するための排出路の排出口がそれぞれ設けられていて、吸引力発生体内に圧縮気体供給路から導かれた圧縮気体を排出路の排出口に向けて噴射する圧縮気体噴射部を介して吸引路と排出路とが連結されてエゼクタ機構をなしているから、訪問診療等においてエアーコンプレッサー等の大型の特殊装置が使用できず比較的圧縮率の低い圧縮気体を使用する場合であってもエゼクタ機構を備えていると共に下方側に向けて唾液等を排出させる構造となっているから十分な吸引を行わすことができ、また吸引力発生体の吸引口に口腔内に挿入される吸引用延長具が着脱自在に装着されているから、口腔内に挿入される吸引用延長具を取り替えるだけで本発明に係る歯科用携帯唾液等吸引具は衛生的に何度でも使用することができ、更に排出口より上方側の吸引力発生体の外面にその開口部を保持されている唾液等を溜めるための収納体の開口部の近傍に収納体内に流入してきた圧縮気体を外部に排出する気体排出口が設けられているから、吸引された唾液等を外部に飛散させることなく衛生的に収納できるのである。
【００１３】
またこの歯科用携帯唾液等吸引具において、吸引用延長具の先端部が斜めに切り取られた形状をなしていると、吸引用延長具の先端部を口腔内粘膜に密着させることなく唾液等を確実に吸引することができ、吸引力発生体が吸引路の吸引口近傍に圧縮気体を噴出させるための噴出口が吸引口と同方向に向けて設けられている噴出路と圧縮気体供給源から供給される圧縮気体を圧縮気体供給路の途中から噴出路へと導くための流路切換手段とを更に備えていると、唾液等の吸引ができるばかりか歯に付着した歯の削りカス等を圧縮気体によってに吹き飛ばすことができまた唾液等を吸引する吸引路及び吸引口を利用することなく圧縮気体を圧縮気体供給路の途中から噴出路へと導くことができるため吸引した唾液等を逆流させることがなく衛生的に圧縮気体を噴出させることができ、このように吸引力発生体に噴出路と噴出口と流路切換手段とが設けられている場合において吸引力発生体の噴出路の噴出口に着脱自在に装着され口腔内に挿入される噴出用延長具が更に設けられていると、口腔内に挿入される噴出用延長具を取り替えるだけで本発明に係る歯科用携帯唾液等吸引具は衛生的に何度でも使用することができ、圧縮気体供給源がスプレー缶であると、比較的圧縮率の高い圧縮気体を容易に得ることができ、圧縮気体供給源がゴム球であると、供給する圧縮気体の量を容易に調整することができ、圧縮気体供給源が足踏み式ポンプであると、比較的圧縮率の高い圧縮気体を容易に発生させることができると共に供給する圧縮気体の量を容易に調整することができ、収納体がプラスチック製軟質袋であると、吸引した唾液等をその収納体ごと捨てることによって使用後の後始末が容易にでき、収納体が硬質容器であると、破損等により唾液等が漏れ出すことがなくまた洗浄することで再利用することができるのである。
【発明を実施するための最良の形態】
【００１４】
以下、図面を用いて本発明に係る歯科用携帯唾液等吸引具について詳細に説明する。
図１は本発明に係る歯科用携帯唾液等吸引具の１実施例を示す正面図、図２は図１における歯科用携帯唾液等吸引具の圧縮気体噴射部の近傍の様子を示す拡大説明図、図３は図１における歯科用携帯唾液等吸引具の流路切換手段を切り換えた様子を示す正面図、図４は本発明に係る歯科用携帯唾液等吸引具の他の実施例を示す正面図、図５は図４における歯科用携帯唾液等吸引具の圧縮気体噴射部の近傍の様子を示す拡大説明図である。
【００１５】
図面中、１は後述する吸引力発生体２に圧縮気体を供給する圧縮気体供給源である。この圧縮気体供給源１は携帯して持ち運びができるように小型で軽量のものであればよいが、例えばその圧縮気体供給源１がスプレー缶1aであれば、比較的圧縮率の高い圧縮気体を容易に得ることができて好ましく、圧縮気体供給源１がゴム球1bであれば、供給する圧縮気体の量を容易に調整することもできて好ましく、圧縮気体供給源１が足踏み式ポンプであれば、比較的圧縮率の高い圧縮気体を容易に発生させることができると共に供給する圧縮気体の量を容易に調整することもできて好ましい。
【００１６】
２は略Ｔ字形の形状をなし対向する端部の一方に唾液等を吸引する吸引路2aの吸引口2aaが、他方の端部又は他方の端部近傍の側部に圧縮気体供給源１から圧縮気体が供給される圧縮気体供給路2dの入口部2daが、吸引力発生体２の下方側に位置する端部に吸引された唾液等を排出するための排出路2bの排出口2baがそれぞれ設けられていて、吸引力発生体２内に圧縮気体供給路2dから導かれた圧縮気体を排出路2bの排出口2baに向けて噴射する圧縮気体噴射部2cを介して吸引路2aと排出路2bとが連結されてエゼクタ機構をなしている吸引力発生体であり、訪問診療等においてエアーコンプレッサー等の大型の特殊装置が使用できず比較的圧縮率の低い圧縮気体を使用する場合であってもエゼクタ機構を備えていると共に下方側に向けて唾液等を排出させる構造となっているから十分な吸引を行わせることができる。
【００１７】
またこの吸引力発生体２が、図１の如く吸引路2aの吸引口2aa近傍に圧縮気体を噴出させるための噴出口2eaが吸引口2aaと同方向に向けて設けられている噴出路2eと、圧縮気体供給源１から供給される圧縮気体を圧縮気体供給路2dの途中から噴出路2eへと導くための流路切換手段2fとを更に備えていると、唾液等の吸引ができるばかりか歯に付着した歯の削りカス等を圧縮気体によってに吹き飛ばすことができまた唾液等を吸引する吸引路2a及び吸引口2aaを利用することなく圧縮気体を圧縮気体供給路2dの途中から噴出路2eへと導くため吸引した唾液等を逆流させることなく衛生的に圧縮気体を噴出させることができて好ましい。
【００１８】
３は吸引力発生体２の吸引路2aの吸引口2aaに口腔内に挿入され着脱自在に装着されている吸引用延長具であり、口腔内に挿入されるこの吸引用延長具３を取り替えるだけで本発明に係る歯科用携帯唾液等吸引具は衛生的に何度でも使用することができる。またこの吸引用延長具３の先端部が斜めに切り取られた形状をなしていると、吸引用延長具３の先端部を口腔内粘膜に密着させることなく唾液等を確実に吸引することができて好ましい。なおこの吸引用延長具３としては例えば軟質のゴム管などが利用できる。
【００１９】
４は排出口2baより上方側の吸引力発生体２の外面にその開口部4aを保持されている唾液等を溜め流入してきた圧縮空気を外部に排出する気体排出口4bが開口部4aの近傍に設けられている収納体であり、この収納体４には開口部4aの近傍に収納体４内に流入してきた圧縮気体を外部に排出する気体排出口4bが設けれているから、圧縮気体によって吸引された唾液等を外部に飛散させることなく衛生的に収納できるのである。またこの収納体４がプラスチック製軟質袋であると、吸引した唾液等をその収納体ごと捨てることができて好ましく、この収納体４が硬質容器であると、破損等により唾液等が漏れ出すことがなくまた洗浄することで再利用することができて好ましい。
【００２０】
５は吸引力発生体２に噴出路2eと噴出口2eaと流路切換手段2fとが設けられている場合において、吸引力発生体２の噴出路2eの噴出口2eaに着脱自在に装着され口腔内に挿入される噴出用延長具５であり、この噴出用延長具５が設けられていると、口腔内に挿入されるこの噴出用延長具５を取り替えるだけで本発明に係る歯科用携帯唾液等吸引具は衛生的に何度でも使用することができて好ましい。
【００２１】
このような構成を有する本発明に係る歯科用携帯唾液等吸引具としては、図１に示すような歯科用携帯唾液等吸引具があり、この歯科用携帯唾液等吸引具では、圧縮気体供給源１がスプレー缶1aであり、吸引力発生体２には噴出路2eと噴出口2eaと流路切換手段2fとが設けられていて、噴出口2eaには口腔内に挿入される噴出用延長具５が着脱自在に装着されており、また収納体４は硬質容器である。
【００２２】
この図１に示す歯科用携帯唾液等吸引具は、唾液等を吸引することができるように流路切換手段2fが切り換えられている状態を示している。このように唾液等を吸引することができるように流路切換手段2fを切り換えた場合には、吸引力発生体２の吸引路2aの吸引口2aaに吸引用延長具３を取り付けておく。この歯科用携帯唾液等吸引具では、スプレー缶1aから供給された圧縮気体は吸引力発生体２内の圧縮気体供給路2dに導かれ、圧縮気体噴射部2cを介して排出路2bの排出口2baに向けて排出される。その際、図２の如く圧縮気体噴射部2cの径を圧縮気体供給路2dの径に比べて小さくして、圧縮気体を排出路2b内の横断面の略中心から排出口2baに向けて勢い良く排出させ、圧縮気体が噴出される圧縮気体噴射部2cの先端近傍の吸引路2a側の気圧を下げることによって吸引力を発生させ、吸引路2aの吸引口2aaに装着された吸引用延長具３の先端部から唾液等が吸引されるのである。
【００２３】
更に吸引用延長具３の先端部から吸引された唾液等は吸引力発生体２内の吸引路2aを下方に向けて導かれ、圧縮気体噴射部2cの先端近傍まで吸引された後は、圧縮気体噴射部2cから噴出される圧縮気体によって押し出されるようにして収納体４へと排出されるのである。
【００２４】
また硬質容器から成るこの収納体４は、吸引力発生体２内の排出口2baより上方側の吸引力発生体２の外面にその開口部4aを保持されていて、この開口部4aの近傍に設けられた気体排出口4bから唾液等を押し出すようにして流入してきた圧縮空気が外部へと排出されるのである。なお図示していないが、吸引力発生体２の排出口2baに収納体４内の底部近傍まで延びる延長具を装着したり、吸引力発生体２の排出路2b部分が収納体４内の底部近傍まで延びていれば、唾液等は収納体４内の底部に直接排出されるから唾液等が収納体４の開口部4aから吹き出すようなこともないのである。
【００２５】
この図１に示す歯科用携帯唾液等吸引具は、流路切換手段2fを切り換えることによって、図３に示すようにスプレー缶1aから供給された圧縮気体は吸引力発生体２内の圧縮気体供給路2dの途中から噴出路2eに導かれ、噴出口2eaから噴出されるようになるのである。このように圧縮気体を噴出することができるように流路切換手段2fを切り換えた場合には、吸引力発生体２の噴出路2eの噴出口2eaに噴出用延長具５を取り付けておく。
【００２６】
即ち、図１及び図３に示す歯科用携帯唾液等吸引具の流路切換手段2fは、吸引力発生体２内において圧縮気体供給路2dの一部を構成していて、流路切換手段2fを回転させることによって圧縮気体供給路2dの一部も回転し、流路切換手段2fに設けられた圧縮気体供給路2dの一部が図１に示すように排出路2bへ向けられた状態から、図３に示すような噴出路2eへと向けられた状態へと切り換えることによって、圧縮気体をエゼクタ機構へと導くことなく、圧縮気体供給路2dから噴出路2eへと直接導くことができるようになるのである。
【００２７】
また本発明に係る歯科用携帯唾液等吸引具の他の態様としては図４の如き歯科用携帯唾液等吸引具があり、この歯科用携帯唾液等吸引具では、圧縮気体供給源１はゴム球1bであり、収納体４は血液パックの如きプラスチック製軟質袋である。またこの歯科用携帯唾液等吸引具は流路切換手段2f等は設けられていないので吸引のみが可能な歯科用携帯唾液等吸引具である。更に圧縮気体供給源１としてゴム球1bが使用されているから軽量で操作が簡単であり、またスプレー缶1aとは異なり容易に圧縮空気の量を調整できるから吸引力の微調整ができるのである。
【００２８】
また図４に示す歯科用携帯唾液等吸引具のエゼクタ機構は図５に示すように、図２に示すエゼクタ機構とは異なり、圧縮気体を排出路2bの内面に沿ってその全周に亘って排出口2baに向けて排出させることによって吸引路2aの圧縮気体噴射部2c側の先端部の気圧を下げ吸引力を発生させるのである。
【図面の簡単な説明】
【００２９】
【図１】本発明に係る歯科用携帯唾液等吸引具の１実施例を示す正面図である。
【図２】図１における歯科用携帯唾液等吸引具の圧縮気体噴射部の近傍の様子を示す拡大説明図である。
【図３】図１における歯科用携帯唾液等吸引具の流路切換手段を切り換えた様子を示す正面図である。
【図４】本発明に係る歯科用携帯唾液等吸引具の他の実施例を示す正面図である。
【図５】図４における歯科用携帯唾液等吸引具の圧縮気体噴射部の近傍の様子を示す拡大説明図である。
【符号の説明】
【００３０】
１  圧縮気体供給源
1a  スプレー缶
1b  ゴム球
２  吸引力発生体
2a  吸引路
2aa  吸引口
2b  排出路
2ba  排出口
2c  圧縮気体噴射部
2d  圧縮気体供給路
2da  入口部
2e  噴出路
2ea  噴出口
2f  流路切換手段
３  吸引用延長具
４  収納体
4a  開口部
4b  気体排出口
５  噴出用延長具
【図１】
2005334025.tif 000003
【図２】
2005334025.tif 000004
【図３】
2005334025.tif 000005
【図４】
2005334025.tif 000006
【図５】
2005334025.tif 000007